【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
ユーザが記述したコンテンツである入力データを変換して、再生装置で使用するための出力データを作成するコンテンツデータ作成装置であって、
前記コンテンツデータ作成装置が出力することを許可されている、出力データのカテゴリを示す情報の記述を含むライセンス情報を記憶するライセンス情報記憶手段と、
変換の対象となる入力データを指定する入力データ指定手段と、
前記入力データ指定手段によって指定された入力データに対して、変換処理を行なうことにより出力データを作成する変換手段と、
出力データのカテゴリの選択肢を表示する表示手段とを含み、
前記表示手段は、前記ライセンス情報で装置が出力することを許可されている出力データのカテゴリに対応する選択肢と、それ以外の出力データのカテゴリに対応する選択肢とを異なる態様で表示することを特徴とする、コンテンツデータ作成装置。
【請求項２】
前記表示手段は、前記ライセンス情報で装置が出力することを許可されている出力データのカテゴリに対応する選択肢のみを表示することを特徴とする、請求項１に記載のコンテンツデータ作成装置。
【請求項３】
前記出力データのカテゴリとは、出力データのバージョンであることを特徴とする、請求項１に記載のコンテンツデータ作成装置。
【請求項４】
ユーザが記述したコンテンツである入力データを変換して、再生装置で使用するための出力データを作成するコンテンツデータ作成装置であって、
前記コンテンツデータ作成装置が入力されることを許可されている、入力データのカテゴリを示す情報の記述を含むライセンス情報を記憶するライセンス情報記憶手段と、
変換の対象となる入力データを指定する入力データ指定手段と、
前記入力データ指定手段によって指定された入力データに対して、変換処理を行なうことにより出力データを作成する変換手段と、
入力データのカテゴリの選択肢を表示する表示手段とを含み、
前記表示手段は、前記ライセンス情報で前記コンテンツデータ作成装置が入力されることを許可されている入力データのカテゴリに対応する選択肢と、それ以外の入力データのカテゴリに対応する選択肢とを異なる態様で表示することを特徴とする、コンテンツデータ作成装置。
【請求項５】
前記表示手段は、前記ライセンス情報で前記コンテンツデータ作成装置が入力されることを許可されている入力データのカテゴリに対応する選択肢のみを表示することを特徴とする、請求項４に記載のコンテンツデータ作成装置。
【請求項６】
前記入力データのカテゴリとは、入力データのバージョンであることを特徴とする、請求項４に記載のコンテンツデータ作成装置。
【請求項７】
少なくとも２つ以上のモジュールからなり、
各前記モジュールについて、その動作環境と前記ライセンス情報の照合を行なう照合手段と、
前記照合手段による照合の結果に基づいて、当該各モジュールの動作を制御する制御手段とをさらに含むことを特徴とする、請求項１または４に記載のコンテンツデータ作成装置。
【請求項８】
前記ライセンス情報は、ユーザを識別するユーザ識別情報を含み、
前記変換手段は、前記ユーザ識別情報を含めて前記出力データを作成することを特徴とする、請求項１または４に記載のコンテンツデータ作成装置。
【請求項９】
前記ユーザ識別情報は、暗号化されて記憶されていることを特徴とする、請求項８に記載のコンテンツデータ作成装置。
【請求項１０】
前記出力データを表示する表示手段をさらに含み、
前記表示手段は、前記出力データに加えて、前記ユーザ識別情報を表示させることを特徴とする、請求項８または請求項９に記載のコンテンツデータ作成装置。
【請求項１１】
ユーザが記述したコンテンツである入力データを変換して、再生装置で使用するための出力データを作成するコンテンツデータ作成装置の制御方法であって、
変換の対象となる入力データを指定するステップと、
前記指定した入力データに対して、変換処理を行なうことにより出力データを作成するステップとを含み、
前記出力データを作成するステップでは、ライセンス情報で装置が出力することを許可されている出力データのカテゴリに対応する選択肢とそれ以外の出力データのカテゴリに対応する選択肢とを異なる態様で表示することを特徴とする、コンテンツデータ作成装置の制御方法。
【請求項１２】
ユーザが記述したコンテンツである入力データを変換して、再生装置で使用するための出力データを作成するコンテンツデータ作成装置の制御方法であって、
変換の対象となる入力データを指定するステップと、
前記指定した入力データに対して、変換処理を行なうことにより出力データを作成するステップとを含み、
前記入力データを指定するステップでは、ライセンス情報で前記コンテンツデータ作成装置に入力されることを許可されている入力データのカテゴリに対応する選択肢とそれ以外の入力データのカテゴリに対応する選択肢とを異なる態様で表示することを特徴とする、コンテンツデータ作成装置の制御方法。
【請求項１３】
ユーザが記述したコンテンツである入力データを変換して、再生装置で使用するための出力データを作成するコンテンツデータ作成用プログラムであって、
前記コンピュータに、
変換の対象となる入力データを指定するステップと、
前記指定した入力データに対して、変換処理を行なうことにより出力データを作成するステップとを実行させ、
前記出力データを作成するステップでは、ライセンス情報で前記コンテンツデータ作成装置が出力することを許可されている出力データのカテゴリに対応する選択肢とそれ以外の出力データのカテゴリに対応する選択肢とを異なる態様で表示することを特徴とする、コンテンツデータ作成用プログラム。
【請求項１４】
ユーザが記述したコンテンツである入力データを変換して、再生装置で使用するための出力データを作成するコンテンツデータ作成用プログラムであって、
前記コンピュータに、
変換の対象となる入力データを指定するステップと、
前記指定した入力データに対して、変換処理を行なうことにより出力データを作成するステップとを実行させ、
前記入力データを指定するステップでは、ライセンス情報で前記コンテンツデータ作成装置に入力されることを許可されている入力データのカテゴリに対応する選択肢とそれ以外の入力データのカテゴリに対応する選択肢とを異なる態様で表示することを特徴とする、コンテンツデータ作成用プログラム。
【請求項１５】
コンテンツデータ表示装置であって、
前記コンテンツデータ表示装置が表示することを許可されているデータのカテゴリを示す情報の記述を含む暗号化されたライセンス情報を記憶するライセンス情報記憶手段と、
暗号化されたコンテンツデータを記憶するコンテンツデータ記憶手段と、
前記ライセンス情報と前記コンテンツデータを復号する復号手段と、
前記復号手段で復号されたコンテンツデータを表示する表示手段とを含み、
前記コンテンツデータは、前記ライセンス情報と共通の手法で暗号化されていることを特徴とする、コンテンツデータ表示装置。
【手続補正２】
【補正対象書類名】明細書
【補正対象項目名】発明の名称
【補正方法】変更
【補正の内容】
【発明の名称】コンテンツデータ作成装置、その制御方法、コンテンツデータ作成用プログラムおよびコンテンツデータ表示装置
【手続補正３】
【補正対象書類名】明細書
【補正対象項目名】０００７
【補正方法】変更
【補正の内容】
【０００７】
本発明のある局面に従ったコンテンツデータ作成装置は、ユーザが記述したコンテンツである入力データを変換して、再生装置で使用するための出力データを作成するコンテンツデータ作成装置であって、前記コンテンツデータ作成装置が出力することを許可されている、出力データのカテゴリを示す情報の記述を含むライセンス情報を記憶するライセンス情報記憶手段と、変換の対象となる入力データを指定する入力データ指定手段と、前記入力データ指定手段によって指定された入力データに対して、変換処理を行なうことにより出力データを作成する変換手段と、出力データのカテゴリの選択肢を表示する表示手段とを含み、前記表示手段は、前記ライセンス情報で装置が出力することを許可されている出力データのカテゴリに対応する選択肢と、それ以外の出力データのカテゴリに対応する選択肢とを異なる態様で表示することを特徴とする。
【手続補正４】
【補正対象書類名】明細書
【補正対象項目名】０００８
【補正方法】変更
【補正の内容】
【０００８】
また、本発明のコンテンツデータ作成装置は、前記表示手段は、前記ライセンス情報で装置が出力することを許可されている出力データのカテゴリに対応する選択肢のみを表示することが好ましい。
【手続補正５】
【補正対象書類名】明細書
【補正対象項目名】０００９
【補正方法】変更
【補正の内容】
【０００９】
また、本発明のコンテンツデータ作成装置では、前記出力データのカテゴリとは、出力データのバージョンであることが好ましい。
【手続補正６】
【補正対象書類名】明細書
【補正対象項目名】００１０
【補正方法】変更
【補正の内容】
【００１０】
本発明の他の局面に従ったコンテンツデータ作成装置は、ユーザが記述したコンテンツである入力データを変換して、再生装置で使用するための出力データを作成するコンテンツデータ作成装置であって、前記コンテンツデータ作成装置が入力されることを許可されている、入力データのカテゴリを示す情報の記述を含むライセンス情報を記憶するライセンス情報記憶手段と、変換の対象となる入力データを指定する入力データ指定手段と、前記入力データ指定手段によって指定された入力データに対して、変換処理を行なうことにより出力データを作成する変換手段と、入力データのカテゴリの選択肢を表示する表示手段とを含み、前記表示手段は、前記ライセンス情報で前記コンテンツデータ作成装置が入力されることを許可されている入力データのカテゴリに対応する選択肢と、それ以外の入力データのカテゴリに対応する選択肢とを異なる態様で表示することを特徴とする。
【手続補正７】
【補正対象書類名】明細書
【補正対象項目名】００１１
【補正方法】変更
【補正の内容】
【００１１】
また、本発明のコンテンツデータ作成装置では、前記表示手段は、前記ライセンス情報で前記コンテンツデータ作成装置が入力されることを許可されている入力データのカテゴリに対応する選択肢のみを表示することが好ましい。
【手続補正８】
【補正対象書類名】明細書
【補正対象項目名】００１２
【補正方法】変更
【補正の内容】
【００１２】
また、本発明のコンテンツデータ作成装置では、前記入力データのカテゴリとは、入力データのバージョンであることが好ましい。
また、本発明のコンテンツデータ作成装置では、少なくとも２つ以上のモジュールからなり、各前記モジュールについて、その動作環境と前記ライセンス情報の照合を行なう照合手段と、前記照合手段による照合の結果に基づいて、当該各モジュールの動作を制御する制御手段とをさらに含むことが好ましい。
また、本発明のコンテンツデータ作成装置では、前記ライセンス情報は、ユーザを識別するユーザ識別情報を含み、前記変換手段は、前記ユーザ識別情報を含めて前記出力データを作成することが好ましい。
また、本発明のコンテンツデータ作成装置では、前記ユーザ識別情報は、暗号化されて記憶されていることが好ましい。
また、本発明のコンテンツデータ作成装置は、前記出力データを表示する表示手段をさらに含み、前記表示手段は、前記出力データに加えて、前記ユーザ識別情報を表示させることが好ましい。
本発明のある局面に従ったコンテンツデータ作成装置の制御方法は、ユーザが記述したコンテンツである入力データを変換して、再生装置で使用するための出力データを作成するコンテンツデータ作成装置の制御方法であって、変換の対象となる入力データを指定するステップと、前記指定した入力データに対して、変換処理を行なうことにより出力データを作成するステップとを含み、前記出力データを作成するステップでは、ライセンス情報で装置が出力することを許可されている出力データのカテゴリに対応する選択肢とそれ以外の出力データのカテゴリに対応する選択肢とを異なる態様で表示することを特徴とする。
本発明の他の局面に従ったコンテンツデータ作成装置の制御方法は、ユーザが記述したコンテンツである入力データを変換して、再生装置で使用するための出力データを作成するコンテンツデータ作成装置の制御方法であって、変換の対象となる入力データを指定するステップと、前記指定した入力データに対して、変換処理を行なうことにより出力データを作成するステップとを含み、前記入力データを指定するステップでは、ライセンス情報で前記コンテンツデータ作成装置に入力されることを許可されている入力データのカテゴリに対応する選択肢とそれ以外の入力データのカテゴリに対応する選択肢とを異なる態様で表示することを特徴とする。
本発明のある局面に従ったコンテンツデータ作成用プログラムは、ユーザが記述したコンテンツである入力データを変換して、再生装置で使用するための出力データを作成するコンテンツデータ作成用プログラムであって、前記コンピュータに、変換の対象となる入力データを指定するステップと、前記指定した入力データに対して、変換処理を行なうことにより出力データを作成するステップとを実行させ、前記出力データを作成するステップでは、ライセンス情報で前記コンテンツデータ作成装置が出力することを許可されている出力データのカテゴリに対応する選択肢とそれ以外の出力データのカテゴリに対応する選択肢とを異なる態様で表示することを特徴とする。
本発明の他の局面に従ったコンテンツデータ作成用プログラムは、ユーザが記述したコンテンツである入力データを変換して、再生装置で使用するための出力データを作成するコンテンツデータ作成用プログラムであって、前記コンピュータに、変換の対象となる入力データを指定するステップと、前記指定した入力データに対して、変換処理を行なうことにより出力データを作成するステップとを実行させ、前記入力データを指定するステップでは、ライセンス情報で前記コンテンツデータ作成装置が入力されることを許可されている入力データのカテゴリに対応する選択肢とそれ以外の入力データのカテゴリに対応する選択肢とを異なる態様で表示することを特徴とする。
本発明に従ったコンテンツデータ表示装置は、前記コンテンツデータ表示装置が表示することを許可されているデータのカテゴリを示す情報の記述を含む暗号化されたライセンス情報を記憶するライセンス情報記憶手段と、暗号化されたコンテンツデータを記憶するコンテンツデータ記憶手段と、前記ライセンス情報と前記コンテンツデータを復号する復号手段と、前記復号手段で復号されたコンテンツデータを表示する表示手段とを含み、前記コンテンツデータは、前記ライセンス情報と共通の手法で暗号化されていることを特徴とする。